(57)【要約】【課題】利用者が個人認証用携行品の携帯を忘れた場合に、その利用者に対して個人認証用携行品の携帯忘れを通知するエレベータシステムを提供する。【解決手段】エレベータシステムにおいて、荷重検出装置９その他の検出装置で利用者が乗り込んだことを示す信号が検出され、かつ、当該利用者の個人認証用携行品に記録された個人認証キーデータを受信部（個人認証用受信機５）で検出していないことが判定された場合には、当該利用者が個人認証用携行品を携帯していないという判定がされ、かご内表示器７及び音声案内装置６は、当該利用者に個人認証用携行品の不携帯を知らせる表示又は音声の案内をする。【選択図】図１
2015202941.tif 000002
【特許請求の範囲】
【請求項１】
ドアを有する乗りかごと、
前記乗りかごを制御する号機制御装置と、
かご内表示器と、
音声案内装置と、
前記乗りかご内に利用者が乗り込んだことを検出する検出装置と、
個人認証のための受信部と、
を備えたエレベータシステムにおいて、
前記検出装置で利用者が乗り込んだことを示す信号が検出され、かつ、当該利用者の個人認証用携行品に記録された個人認証キーデータを前記受信部で検出していないことが判定された場合には、当該利用者が前記個人認証用携行品を携帯していないという判定がされ、
前記かご内表示器及び前記音声案内装置は、当該利用者に前記個人認証用携行品の不携帯を知らせる表示又は音声の案内をする、
ことを特徴とするエレベータシステム。
【請求項２】
前記検出装置は、乗り込んだ利用者の荷重を検出する荷重検出装置である、請求項１記載のエレベータシステム。
【請求項３】
さらに、
前記乗りかごに設置されたかご端末と、
前記受信部からの信号を受ける個人認証サーバーと、を備え、
前記利用者が前記個人認証用携行品を携帯していないという前記判定、及び、前記利用者に前記個人認証用携行品の不携帯を知らせる表示又は音声の前記案内は、
前記検出装置から前記利用者が乗り込んだことを示す信号を検出した際に、前記利用者の個人認証用携行品に記録された個人認証キーデータを前記受信部で検出していないことを前記個人認証サーバーで判定した場合には、前記個人認証サーバーが、前記号機制御装置に対して、前記利用者が前記個人認証用携行品を携帯していないという不携帯データを送信し、
前記号機制御装置は、前記不携帯データを受信した場合は、前記かご端末に対して前記データを受信したことを通知するための情報データを送信し、
前記かご端末は、前記情報データを受信した場合には、前記かご内表示器及び前記音声案内装置に対して、前記個人認証用携行品の不携帯を前記利用者に知らせるための信号を出力し、
前記かご内表示器及び前記音声案内装置は、前記利用者に前記個人認証用携行品の不携帯を知らせる表示又は音声を発することにより行う、請求項１又は２に記載のエレベータシステム。
【請求項４】
さらに、
前記ドアの開閉を制御するドア制御部と、
前記乗りかご内に設置され、行き先階ボタン、ドア開ボタン及びドア閉ボタンを有する運転盤と、を備え、
前記ドア制御部は、前記ドアが開状態である場合には、前記ドアを開いておく時間を延長する指令を出力し、前記ドアが閉状態である場合には、前記ドア開ボタンを有効とする指令を出力する、請求項１〜３のいずれか一項に記載のエレベータシステム。
【請求項５】
前記利用者が前記個人認証用携行品を携帯していないという前記判定がされた場合には、前記利用者が乗り込んだ階で停止している間は前記ドア開ボタンを点滅させる、請求項４記載のエレベータシステム。
【発明の詳細な説明】
【技術分野】
【０００１】
本発明は、エレベータシステムに関する。
【背景技術】
【０００２】
エレベータのセキュリティの向上に関する従来技術の例としては、次のようなものがある。
【０００３】
特許文献１には、不審者の侵入を防止することを目的として、かごをロビー階にて戸閉め待機させ、信号入力手段からの信号をあらかじめ登録した信号とエレベーター制御盤にて照合し、一致した場合にはドアを開けるエレベーター装置が開示されている。この文献の段落（００１７）には、居住者が外出より住居に戻る時は、共同玄関の集合機（子機）にて住戸鍵を使いオートロックの解除操作を行うこと、居住者が非接触キーをキーリーダーヘッドに近づけること、キーリーダーヘッドの信号はキーリーダー制御盤を介し、エレベーター制御盤へ出力されエレベーター制御盤にて予め登録された信号と照合されること等が記載されている。
【０００４】
特許文献２には、高いセキュリティ性を確保する観点から、前記乗場に設けられた登録用個人認証装置と、前記乗場の外部側の前記乗場入場ドアの近傍に設けられたドア解錠用個人認証装置と、を備えたエレベーターのセキュリティシステムが開示されている。この文献の段落（００１７）には、個人認証の方式としては、利用者の指紋や虹彩等を用いた生体認証、ＩＤカードやＲＦＩＤ（Ｒａｄｉｏ  Ｆｒｅｑｕｅｎｃｙ  Ｉｄｅｎｔｉｆｉｃａｔｉｏｎ）タグ等を用いた認証、テンキー入力等による暗証番号やパスワードを用いた認証等の各種の認証方式を用いることができることが記載されている。
【先行技術文献】
【特許文献】
【０００５】
【特許文献１】特開２００２−３４８０５３号公報
【特許文献２】特開２０１１−１６８３４７号公報
【発明の概要】
【発明が解決しようとする課題】
【０００６】
従来のエレベータシステムにおいては、居住階からエレベータに乗り込み、建屋外に外出する際には、個人認証によるエレベータの利用制限をしていないため、個人認証用のＩＣカード、携帯電話、スマートフォン等（以下、「個人認証用携行品」という。）を携帯し忘れた場合には、帰宅時に乗りかご内に乗っても個人認証用携行品を携帯していないため、個人認証が不可能となり、居住階への行き先階ボタンを操作できない問題点があった。
【０００７】
本発明の目的は、利用者が個人認証用携行品の携帯を忘れた場合に、その利用者に対して個人認証用携行品の携帯忘れを通知するエレベータシステムを提供することにある。
【課題を解決するための手段】
【０００８】
本発明のエレベータシステムは、検出装置で利用者が乗り込んだことを示す信号が検出され、かつ、当該利用者の個人認証用携行品に記録された個人認証キーデータを受信部で検出していないことが判定された場合には、当該利用者が個人認証用携行品を携帯していないという判定がされ、かご内表示器及び音声案内装置は、当該利用者に個人認証用携行品の不携帯を知らせる表示又は音声の案内をすることを特徴とする。
【発明の効果】
【０００９】
本発明によれば、利用者が個人認証用携行品の携帯を忘れた場合に、その利用者に対して個人認証用携行品の携帯忘れを通知することができるため、帰宅時にエレベータの利用ができなくなるという問題を未然に防ぐことができる。
【図面の簡単な説明】
【００１０】
【図１】実施例のエレベータ制御システムを示す概略構成図である。
【図２】エレベータの利用者が個人認証用のＩＣカード等を携帯しているかを判別して制御する工程を示すフローチャートである。
【図３】エレベータの制御工程を示すフローチャートである。
【発明を実施するための形態】
【００１１】
以下、本発明の実施形態に係るエレベータシステムについて説明する。
【００１２】
前記エレベータシステムは、ドアを有する乗りかごと、乗りかごを制御する号機制御装置と、かご内表示器と、音声案内装置と、乗りかご内に利用者が乗り込んだことを検出する検出装置と、個人認証のための受信部と、を備え、検出装置で利用者が乗り込んだことを示す信号が検出され、かつ、当該利用者の個人認証用携行品に記録された個人認証キーデータを受信部で検出していないことが判定された場合には、当該利用者が個人認証用携行品を携帯していないという判定がされ、かご内表示器及び音声案内装置は、当該利用者に個人認証用携行品の不携帯を知らせる表示又は音声の案内をすることを特徴とする。
【００１３】
ここで、号機制御装置は、超小型演算装置（ＭＰＵ：Ｍｉｃｒｏ−Ｐｒｏｃｅｓｓｉｎｇ  Ｕｎｉｔ）を内蔵する。
【００１４】
上記の検出装置は、乗り込んだ利用者の荷重を検出する荷重検出装置であってもよい。
【００１５】
前記エレベータシステムは、さらに、乗りかごに設置されたかご端末と、受信部からの信号を受ける個人認証サーバーと、を備え、利用者が個人認証用携行品を携帯していないという判定、及び、利用者に個人認証用携行品の不携帯を知らせる表示又は音声の案内は、検出装置から利用者が乗り込んだことを示す信号を検出した際に、利用者の個人認証用携行品に記録された個人認証キーデータを受信部で検出していないことを個人認証サーバーで判定した場合には、個人認証サーバーが、号機制御装置に対して、利用者が個人認証用携行品を携帯していないという不携帯データを送信し、号機制御装置は、不携帯データを受信した場合は、かご端末に対してデータを受信したことを通知するための情報データを送信し、かご端末は、情報データを受信した場合には、かご内表示器及び音声案内装置に対して、個人認証用携行品の不携帯を利用者に知らせるための信号を出力し、かご内表示器及び音声案内装置は、利用者に個人認証用携行品の不携帯を知らせる表示又は音声を発することにより行うことが望ましい。
【００１６】
ここで、かご端末は、乗りかごに付設されたＭＰＵであってもよい。また、個人認証サーバーは、例えば、管理人室に設置してもよい。
【００１７】
前記エレベータシステムは、さらに、ドアの開閉を制御するドア制御部と、乗りかご内に設置され、行き先階ボタン、ドア開ボタン及びドア閉ボタンを有する運転盤と、を備え、ドア制御部は、ドアが開状態である場合には、ドアを開いておく時間を延長する指令を出力し、ドアが閉状態である場合には、ドア開ボタンを有効とする指令を出力することが望ましい。
【００１８】
前記エレベータシステムは、利用者が個人認証用携行品を携帯していないという判定がされた場合には、利用者が乗り込んだ階で停止している間はドア開ボタンを点滅させることが望ましい。
【００１９】
検出装置から利用者が乗り込んだことを検出したという信号を検出した時点で、乗りかごのいずれかの場所に設置される上記の受信部が、利用者の個人認証用携行品との通信ができなければ、利用者が個人認証用携行品を持たずに外出しようとしていると判定し、表示器や音声案内装置を用いて利用者に個人認証用携行品を携帯し忘れていることを報知する。これにより、ドア開ボタンを有効とし、又はドアを開いておく時間を延長し、利用者が居室まで個人認証用携行品を取りに戻ることを促すことができる。
【００２０】
以下、図面を用いて実施例について説明する。
【実施例】
【００２１】
図１は、実施例のエレベータシステムの全体構成を示したものである。ここで、エレベータシステムは、エレベータの乗りかごの移動を制御する装置も含むものである。
【００２２】
本図において、エレベータシステムは、号機制御装置１と、個人認証サーバー２（データ記録装置）と、乗りかご３と、かご端末４（かご内演算処理部）と、個人認証用受信機５（受信部）と、音声案内装置６（スピーカ）と、かご内表示器７と、運転盤８と、荷重検出装置９と、を含む。号機制御装置１は、乗りかご３を制御する。
【００２３】
号機制御装置１は、内部に号機制御マイコン１０を有する。号機制御マイコン１０は、多重伝送路１２を介して乗りかご３に設置されているかご端末４を制御する。かご端末４には、行き先階釦を有する運転盤８と、かご内表示器７と、音声案内装置６と、荷重検出装置９と、が接続されている。号機制御マイコン１０は、多重伝送路１１を介して個人認証サーバー２に接続されている。個人認証サーバー２は、多重伝送路１３を介して個人認証用受信機５に接続されている。個人認証用受信機５は、乗りかご３の天井部に設置されている。まとめると、号機制御装置１は、かご端末４を介して乗りかご３を制御する。
【００２４】
つぎに、データの流れを説明する。
【００２５】
個人認証用受信機５は、乗りかご３内に個人認証用の個人認証用携行品を携帯した利用者が乗り込むと、個人認証用携行品を検出する。当該個人認証用携行品のキーデータは、多重伝送路１３を介して個人認証サーバー２に送られる。個人認証サーバー２は、受信したキーデータを個人認証キーデータとして部屋（階床）番号に変換し、多重伝送路１１を介して号機制御装置１へ送信する。
【００２６】
利用者が乗りかご３内に乗り込むと、荷重検出装置９からの荷重データがかご端末４へ伝達される。かご端末４と号機制御装置１とは、多重伝送路１２を介して一定周期（本実施例では１００ｍｓ周期）でのポーリング伝送を行うようになっている。かご端末４は、荷重検出装置９から得られた荷重データを、号機制御装置１に対して一定周期で伝達している。また、号機制御装置１からは、かご端末４を介して音声案内装置６と、かご内表示器７へそれぞれ音声案内データ及び表示用データを一定周期で伝達している。
【００２７】
本図においては、利用者が乗り込んだことを検出する検出装置として、荷重検出装置９を例示したが、検出装置は、これに限定されるものではなく、エレベータホール又は乗りかごに設置したカメラであってもよい。カメラから得られた画像を解析することにより、利用者の人数を把握するものであってもよい。
【００２８】
図２は、エレベータの利用者が個人認証用のＩＣカード等を携帯しているかを判別し、ドアを制御し、音声案内データ及び表示用データを生成する工程を示すフローチャートである。
【００２９】
本図を用いて本発明における動作の概略を説明する。
【００３０】
Ｓ１００では、乗りかごに設置された荷重検出装置からの荷重検出信号が入力されたかを判定する。その結果、荷重検出された場合は、Ｓ２００で個人認証用受信機（個人認証装置）から個人認証結果のデータが受信されているかを判定する。一方、荷重検出信号が検出されない場合は、制御動作を終了する。
【００３１】
個人認証結果のデータが受信されていない場合は、Ｓ３００でドア開閉状態を判定する。一方、個人認証結果のデータが受信されている場合は、制御動作を終了する。
【００３２】
ドアが開いている状態であれば、Ｓ４００でドア開の時限を延長する。一方、ドアが開いていない状態であれば、Ｓ５００でドア開き釦を有効とする。
【００３３】
その後、Ｓ６００で、音声案内装置及びかご内表示器に個人認証用のＩＣカード等を携帯し忘れていることについて報知する。例えば「カードを忘れていませんか？」などの出力データのセットを行う。これにより、利用者が個人認証用のＩＣカード等を携帯することを忘れていることを知らせることが出来る。
【００３４】
図３は、エレベータの制御工程を示すフローチャートである。
【００３５】
本図において、Ｓ１０００では、各種入力信号を取り込み加工する処理を行う。Ｓ１１００では、入力した信号データを基に運転制御として走行、停止などを行う。Ｓ１２００では、ドアの開閉制御を行う。Ｓ１３００では、個人認証用のＩＣカード等を携帯していない場合の処理（図２で説明）を行う。Ｓ１４００では、各種インジケーターや表示器の表示点灯処理を行う。この処理では、Ｓ１３００でセットされた表示出力データに基づき表示制御を行う。Ｓ１５００では、スピーカに対して音声出力処理を行う。この処理では、Ｓ１３００でセットされた音声出力データに基づき音声案内制御を行う。
【００３６】
以上の処理は、定期的に号機制御装置（ＯＳ）からコールして実施する。
【００３７】
また、上記の実施例においては、特定の装置が特定の制御を行うとして説明してきたが、本発明は、上記の実施例に限定されるものではなく、それぞれの制御をいずれの演算装置で行ってもよい。
【符号の説明】
【００３８】
１：号機制御装置、２：個人認証サーバー、３：乗りかご、４：かご端末、５：個人認証用受信機、６：音声案内装置、７：かご内表示器、８：運転盤、９：荷重検出装置、１０：号機制御マイコン、１１、１２、１３：多重伝送路。
【図１】
2015202941.tif 000003
【図２】
2015202941.tif 000004
【図３】
2015202941.tif 000005